(57)【要約】【課題】歩行空間を確保する公共建築物に沿って設けられる配線や配管の初期設置及びメンテナンスを容易かつ柔軟に行うことができるとともに、照明施設の設置を簡易に行うことができる照明組込型収納ダクトを提供すること。【解決手段】ガラス手摺ガード２の歩行空間Ｅ１側にガラス手摺ガードを支持する支持柱３を介して取り付けられ、ガラス手摺ガード２の長手方向に延びる内部空間に配線及び配管を収納するとともに歩行空間Ｅ１側を照明する照明施設８が組み込まれ、照明施設８の電源は配線・配管４のうちの電気配線から供給される。【選択図】図１
2016211298.tif 000002
【特許請求の範囲】
【請求項１】
手摺ガードの歩行空間側に前記手摺ガードを支持する支持柱を介して取り付けられ、前記手摺ガードの長手方向に延びる内部空間に配線及び配管を収納するとともに前記歩行空間側を照明する照明施設が組み込まれ、前記照明施設の電源は前記配線から供給されることを特徴とする照明組込型収納ダクト。
【請求項２】
前記支持柱を介して前記歩行空間側に取り付けられるダクト支持部と、
前記歩行空間側からダクト支持部に向けて取り付けられて前記内部空間を形成する、着脱が可能なダクトと、
を備えたことを特徴とする請求項１に記載の照明組込型収納ダクト。
【請求項３】
前記照明施設は、前記ダクト支持部に取り付けられ、
前記ダクトは、前記照明施設の前記歩行空間側に設けた、照明窓を有した前面パネルが嵌め込まれる照明開口が形成されていることを特徴とする請求項２に記載の照明組込型収納ダクト。
【請求項４】
前記手摺ガードは、合わせガラスが嵌め込まれたガラス手摺ガードであることを特徴とする請求項１〜３のいずれか一つに記載の照明組込型収納ダクト。
【発明の詳細な説明】
【技術分野】
【０００１】
本発明は、歩行空間を確保する公共建築物に沿って設けられる配線や配管の初期設置及びメンテナンスを容易かつ柔軟に行うことができるとともに、照明施設の設置を簡易に行うことができる照明組込型収納ダクトに関する。
【背景技術】
【０００２】
従来から、壁面にダクトを設け、このダクト内に配管などを配設するものがある。このダクトを用いた配管設置は、埋設型の配管設置に比べて、配管設置の変更などを容易かつ柔軟に行うことができる（特許文献１参照）。
【先行技術文献】
【特許文献】
【０００３】
【特許文献１】特開２０１３−１２２１３７号公報
【発明の概要】
【発明が解決しようとする課題】
【０００４】
ところで、ペデストリアンデッキや横断橋には、照明やエレベータの配線、掃除用の水配管、コンセントなどが必要になるが、歩行空間確保のため、床下に組み込むと、配線や配管などの追加や変更などの作業が困難なものとなる。また、配線や配管を露出して取り付けた場合、美観を害することになる。
【０００５】
一方、上述したペデストリアンデッキや横断橋などの公共空間においては、夜間における歩行空間を照らすための照明施設を別途設ける必要がある。この照明施設を設ける場合、離散配置される照明施設までの電気配線を個別に行う必要があった。
【０００６】
本発明は、上記に鑑みてなされたものであって、歩行空間を確保する公共建築物に沿って設けられる配線や配管の初期設置及びメンテナンスを容易かつ柔軟に行うことができるとともに、照明施設の設置を簡易に行うことができる照明組込型収納ダクトを提供することを目的とする。
【課題を解決するための手段】
【０００７】
上述した課題を解決し、目的を達成するために、本発明にかかる照明組込型収納ダクトは、手摺ガードの歩行空間側に前記手摺ガードを支持する支持柱を介して取り付けられ、前記手摺ガードの長手方向に延びる内部空間に配線及び配管を収納するとともに前記歩行空間側を照明する照明施設が組み込まれ、前記照明施設の電源は前記配線から供給されることを特徴とする。
【０００８】
また、本発明にかかる照明組込型収納ダクトは、上記の発明において、前記支持柱を介して前記歩行空間側に取り付けられるダクト支持部と、前記歩行空間側からダクト支持部に向けて取り付けられて前記内部空間を形成する、着脱が可能なダクトとを備えたことを特徴とする。
【０００９】
また、本発明にかかる照明組込型収納ダクトは、上記の発明において、前記照明施設は、前記ダクト支持部に取り付けられ、前記ダクトは、前記照明施設の前記歩行空間側に設けた、照明窓を有した前面パネルが嵌め込まれる照明開口が形成されていることを特徴とする。
【００１０】
また、本発明にかかる照明組込型収納ダクトは、上記の発明において、前記手摺ガードは、合わせガラスが嵌め込まれたガラス手摺ガードであることを特徴とする。
【発明の効果】
【００１１】
本発明によれば、照明組込型収納ダクトは、手摺ガードの歩行空間側に前記手摺ガードを支持する支持柱を介して取り付けられ、前記手摺ガードの長手方向に延びる内部空間に配線及び配管を収納するとともに前記歩行空間側を照明する照明施設が組み込まれ、前記照明施設の電源は前記配線から供給されるようにしている。この結果、この照明組込型収納ダクトでは、歩行空間を確保する公共建築物に沿って設けられる配線や配管の初期設置及びメンテナンスを容易かつ柔軟に行うことができるとともに、照明施設の設置を簡易に行うことができる。
【図面の簡単な説明】
【００１２】
【図１】図１は、本発明の実施の形態である照明組込型収納ダクトがガラス手摺ガードに取り付けられた状態を示す断面図である。
【図２】図２は、図１に示した照明組込型収納ダクトがガラス手摺ガードに取り付けられた状態を示す正面図である。
【図３】図３は、照明組込型収納ダクトがガラス手摺ガードに取り付けられた状態を斜めから見た外観図である。
【発明を実施するための形態】
【００１３】
以下、添付図面を参照して本発明を実施するための形態について説明する。
【００１４】
図１は、本発明の実施の形態である照明組込型収納ダクト１がガラス手摺ガード２に取り付けられた状態を示す断面図である。また、図２は、図１に示した照明組込型収納ダクト１がガラス手摺ガード２に取り付けられた状態を示す正面図である。図１及び図２に示すように、照明組込型収納ダクト１は、ガラス手摺ガード２の歩行空間Ｅ１側に取り付けられる。
【００１５】
ガラス手摺ガード２は、床２０の上部に形成される歩行空間Ｅ１と外部空間Ｅ２とを区画する。ガラス手摺ガード２は、例えば、床２０に結合した複数の支持柱３間に合わせガラス２ａが嵌め込まれている。各支持柱３間の歩行空間Ｅ１側には、ダクト支持部６が取り付けられる。ダクト支持部６は、ダクト空間Ｅ３の一部を形成する。ダクト５は、歩行空間Ｅ１側からダクト支持部６を覆うことによって、ガラス手摺ガード２の長手方向に延びるダクト空間Ｅ３を形成する。ダクト５は、ダクト支持部６に取り付けられるが、着脱可能である。このダクト空間Ｅ３は、床２０から所定の高さに形成される。この所定の高さは、初期設置及びメンテナンスなどを行う作業者が床２０から立った状態、あるいは座った状態で、照明組込型収納ダクト１を容易に取り扱うことができる高さであることが好ましい。ダクト空間Ｅ３内には、複数の配線・配管４が収納される。
【００１６】
ダクト支持部６には、歩行空間Ｅ１側で長手方向に沿って水平に延び、ダクト空間Ｅ３を上下に区画する仕切り板７が立設している。また、ダクト支持部６には、照明施設８が取り付けられる。照明施設８は、照明部８ｂを支持する照明支持部８ａを有する。また、照明施設８は、照明部８ｂから投光される照明光を歩行空間Ｅ１側に出射する照明窓８ｃが形成された正面パネルを有する。
【００１７】
ダクト５には、ダクト支持部６を覆った状態で、照明窓８ｃを含む正面パネルが嵌め込まれる、照明開口１１が形成されている。照明施設８は、照明窓８ｃを含む正面パネルの前面と、照明開口１１の歩行空間Ｅ１側の面とが一致するように、ダクト支持部６に対して立設する。
【００１８】
また、照明施設８の電源は、ダクト空間Ｅ３内に収納される配線・配管４のうちの電気配線から供給される。
【００１９】
図３は、照明組込型収納ダクト１がガラス手摺ガード２に取り付けられた状態を斜めから見た外観図である。図３に示すように、照明組込型収納ダクト１は、配線・配管４を露出しないため、歩行空間Ｅ１での開放感を阻害することがない。しかも、外部に仮設足場の設置や高所作業車の使用を行わずに、単に歩行空間Ｅ１からダクト５を取り外すのみで、配線・配管４の初期設置及びメンテナンスを容易に行うことができる。さらに、歩行空間Ｅ１の照明施設を別途設けなくても、歩行空間Ｅ１を照明することができ、新たに照明施設の設置と、設置した場所までの配線を行う必要がない。
【符号の説明】
【００２０】
１  照明組込型収納ダクト
２  ガラス手摺ガード
２ａ  合わせガラス
３  支持柱
４  配線・配管
５  ダクト
６  ダクト支持部
７  仕切り板
８  照明施設
８ａ  照明支持部
８ｂ  照明部
８ｃ  照明窓
１１  照明開口
２０  床
Ｅ１  歩行空間
Ｅ２  外部空間
Ｅ３  ダクト空間
【図１】
2016211298.tif 000003
【図２】
2016211298.tif 000004
【図３】
2016211298.tif 000005